【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
顕微鏡により試料の観察を行う顕微鏡システムであって、
前記試料を照明する照明手段と、
複数の対物レンズをそれぞれ取り付け穴に搭載し、前記複数の対物レンズを切替えることにより所望の対物レンズを光路に設定することができる対物レンズ切替手段と、
前記対物レンズ切替手段に設けられた前記取り付け穴が前記光路に入っているかを検出する取り付け穴検出手段と、
前記取り付け穴検出手段の検出結果に基づいて、前記対物レンズが前記光路に入っているときの第１の調光値及び前記対物レンズが前記光路から外れている場合の第２の調光値
のいずれかにより前記照明の調光を行う調光制御手段と、
を備えることを特徴とする顕微鏡システム。
【請求項２】
前記調光制御手段は、
前記対物レンズが前記光路に入っているときの第１の調光値と、前記対物レンズが前記光路から外れている場合の第２の調光値とが記憶されている調光値記憶手段と、
を備えることを特徴とする請求項１に記載の顕微鏡システム。
【請求項３】
前記顕微鏡システムは、さらに、
前記対物レンズ切替手段の各取り付け穴を識別する取り付け穴識別手段と、
を備え、
前記調光値記憶手段には、前記対物レンズ切替手段の各取り付け穴に搭載された前記対物レンズ毎の前記第１の調光値及び前記第２の調光値が記憶され、
前記調光制御手段は、前記取り付け穴検出手段により前記対物レンズ切替手段に設けられた前記取り付け穴が前記光路に入っていると検出された場合、該取り付け穴識別手段により識別された前記取り付け穴に搭載された前記対物レンズに対応する前記第１の調光値及び前記第２の調光値を前記調光値記憶手段から取得し、該第１の調光値及び該第２の調光値に基づいて、前記照明の調光を行う
ことを特徴とする請求項２に記載の顕微鏡システム。
【請求項４】
前記顕微鏡システムは、さらに、
前記調光制御手段による前記第１の調光値及び前記第２の調光値により照明の調光を行う機能の解除指示をする自動調光解除指示手段、
を備え、
前記調光制御手段は、前記自動調光解除指示手段により解除指示された場合、前記第１の調光値及び前記第２の調光値以外の所定の第３の調光値に基づいて、前記照明の調光を行う
ことを特徴とする請求項１〜３のうちいずれか１項に記載の顕微鏡システム。
【請求項５】
前記顕微鏡システムは、さらに、
前記顕微鏡の操作環境の変更指示を行う変更指示手段
を備え、
前記調光値記憶手段は前記顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、
前記調光制御手段は、前記変更指示に応じて、前記いずれかの調光値記憶手段を選択し、前記取り付け穴検出手段の検出結果に基づいて、該選択した調光値記憶手段に記憶された前記第１の調光値及び前記第２の調光値のいずれかにより前記照明の調光を行う
ことを特徴とする請求項２または３に記載の顕微鏡システム。
【請求項６】
前記調光制御手段は、前記取り付け穴検出手段により前記対物レンズ切替手段に設けられた前記取り付け穴が前記光路に入っていると検出された場合、前記調光値記憶手段から前記第１の調光値及び前記第２の調光値を取得して、該第１の調光値により前記調光を制御し、その後、該取り付け穴が該光路に入っていないと検出された場合、再度該取り付け穴が該光路に入っていると検出されるまで、該第２の調光値により調光を制御する
ことを特徴とする請求項２または３に記載の顕微鏡システム。
【請求項７】
顕微鏡システムに用いられる調光制御装置であって、
外部からの信号を受信する受信手段と、
前記対物レンズが前記光路に入っているときの第１の調光値と、前記対物レンズが前記光路から外れている場合の第２の調光値とが記憶されている調光値記憶手段と、
前記受信した信号が、レボルバに設けられた対物レンズの取り付け穴が光路に入っているかの第１の検出信号の場合、該第１の検出信号に基づいて、前記第１の調光値及び前記対物レンズが前記第２の調光値のいずれかにより照明の調光を行う制御手段と、
前記制御手段の制御に基づいて、照明光源を駆動させる光源駆動手段と、
を備えることを特徴とする調光制御装置。
【請求項８】
前記調光値記憶手段には、前記レボルバの各取り付け穴に搭載された前記対物レンズ毎の前記第１の調光値及び前記第２の調光値が記憶され、
前記制御手段は、前記第１の検出信号と、該光路に入っている取り付け穴の識別する第２の検出信号を受信した場合、前記取り付け穴に搭載された前記対物レンズに対応する前記第１の調光値及び前記第２の調光値を前記調光値記憶手段から取得し、前記第１の調光値及び前記第２の調光値に基づいて、前記照明の調光を行う
ことを特徴とする請求項７に記載の調光制御装置。
【請求項９】
前記制御手段は、前記第１の調光値及び第２の調光値により照明の調光を行う機能の解除指示を示す信号を受信した場合、前記第１の調光値及び前記第２の調光値以外の所定の第３の調光値に基づいて、前記照明の調光を行う
ことを特徴とする請求項７または８に記載の調光制御装置。
【請求項１０】
前記調光値記憶手段は顕微鏡の操作環境に応じた複数の調光値記憶手段からなり、該各調光値記憶手段は前記対物レンズ切替手段の各取り付け穴に搭載された前記対物レンズ毎の前記第１の調光値及び前記第２の調光値を記憶し、
前記制御手段は、外部より前記顕微鏡の操作環境の変更指示を行う変更指示信号を受信した場合、該変更指示信号に応じて、前記いずれかの調光値記憶手段を選択し、前記第１の検出信号に基づいて、該選択した調光値記憶手段に記憶された前記第１の調光値及び前記第２の調光値のいずれかにより前記照明の調光を行う
ことを特徴とする請求項７または８に記載の調光制御装置。
【請求項１１】
前記制御手段は、前記取り付け穴が該光路に入っている旨の前記第１の検出信号を受信した場合、前記調光値記憶手段から前記第１の調光値及び前記第２の調光値を取得して、該第１の調光値により前記調光を制御し、その後、該取り付け穴が該光路に入っていない旨の検出信号を受信した場合、再度該取り付け穴が該光路に入っていると検出されるまで、該第２の調光値により調光を制御する
ことを特徴とする請求項７または８に記載の調光制御装置。
【請求項１２】
顕微鏡により試料の観察を行う顕微鏡システムの制御方法であって、
各取り付け穴に搭載された対物レンズを切替えることにより所望の対物レンズを光路に設定することができる対物レンズ切替手段に設けられた前記取り付け穴が前記光路に入っているかを検出し、
前記検出結果に基づいて、前記対物レンズが前記光路に入っているときの第１の調光値及び前記対物レンズが前記光路から外れている場合の第２の調光値のいずれかにより前記照明の調光を行う
ことを特徴とする顕微鏡システムの制御方法。
【手続補正２】
【補正対象書類名】明細書
【補正対象項目名】００１７
【補正方法】変更
【補正の内容】
【００１７】
前記顕微鏡システムは、さらに、前記対物レンズ切替手段の各取り付け穴を識別する取り付け穴識別手段と、を備え、前記調光値記憶手段には、前記対物レンズ切替手段の各取り付け穴に搭載された前記対物レンズ毎の前記第１の調光値及び前記第２の調光値が記憶され、前記調光制御手段は、前記取り付け穴検出手段により前記対物レンズ切替手段に設けられた前記取り付け穴が前記光路に入っていると検出された場合、該取り付け穴識別手段により識別された前記取り付け穴に搭載された前記対物レンズに対応する前記第１の調光値及び前記第２の調光値を前記調光値記憶手段から取得し、該第１の調光値及び該第２の調光値に基づいて、前記照明の調光を行うことを特徴とする。
【手続補正３】
【補正対象書類名】明細書
【補正対象項目名】００１８
【補正方法】変更
【補正の内容】
【００１８】
前記顕微鏡システムは、さらに、前記調光制御手段による前記第１の調光値及び前記第２の調光値により照明の調光を行う機能の解除指示をする自動調光解除指示手段、を備え、前記調光制御手段は、前記自動調光解除指示手段により解除指示された場合、前記第１の調光値及び前記第２の調光値以外の所定の第３の調光値に基づいて、前記照明の調光を行うことを特徴とする。
【手続補正４】
【補正対象書類名】明細書
【補正対象項目名】００２２
【補正方法】変更
【補正の内容】
【００２２】
調光制御装置において、前記調光値記憶手段には、前記レボルバの各取り付け穴に搭載された前記対物レンズ毎の前記第１の調光値及び前記第２の調光値が記憶され、前記制御手段は、前記第１の検出信号と、該光路に入っている取り付け穴の識別する第２の検出信号を受信した場合、前記取り付け穴に搭載された前記対物レンズに対応する前記第１の調光値及び前記第２の調光値を前記調光値記憶手段から取得し、前記第１の調光値及び前記第２の調光値に基づいて、前記照明の調光を行うことを特徴とする。
【手続補正５】
【補正対象書類名】明細書
【補正対象項目名】００２３
【補正方法】変更
【補正の内容】
【００２３】
調光制御装置において、前記制御手段は、前記第１の調光値及び第２の調光値により照明の調光を行う機能の解除指示を示す信号を受信した場合、前記第１の調光値及び前記第２の調光値以外の所定の第３の調光値に基づいて、前記照明の調光を行うことを特徴とする。